(57)【特許請求の範囲】
【請求項１】
撮像素子と、
前記撮像素子が接着されていて前記撮像素子を保持する保持部材と、
前記撮像素子に接着されていて前記撮像素子の変形を抑制する変形抑制部材と、
を備える撮像ユニットであって、
前記撮像素子と前記保持部材とは、接着部材により固定され、
前記撮像素子の線膨張係数をα１、前記保持部材の線膨張係数をα２、前記変形抑制部材の線膨張係数をα３としたとき、
α２＜α１＜α３
又は
α２＞α１＞α３
を満足し、
前記撮像素子に塗布される前記接着部材の長方形の塗布領域の長辺方向の長さＬＺと、前記変形抑制部材の長辺方向の長さＬＸとは、
１／２＊ＬＺ＜ＬＸ＜３／２＊ＬＺ
の関係を満足することを特徴とする撮像ユニット。
【請求項２】
前記保持部材と前記変形抑制部材とは、前記撮像素子の表面を前記撮像素子の受光面に平行な中心面で区切って規定される２つの領域のうち同じ領域に配置されている、請求項１記載の撮像ユニット。
【請求項３】
前記撮像素子と前記保持部材とは他の部材を介さずに直接接着されている請求項２記載の撮像ユニット。
【請求項４】
前記保持部材は、前記撮像素子と対向する面に前記撮像素子を収容する開口部を備える請求項１乃至３のいずれかに記載の撮像ユニット。
【請求項５】
前記変形抑制部材は、前記撮像素子に接着されていて、前記変形抑制部材の接着面の面積は前記撮像素子の接着面の面積よりも小さい請求項１乃至４のいずれかに記載の撮像ユニット。
【請求項６】
前記保持部材と前記変形抑制部材との間には空隙が設けられている請求項１乃至５のいずれかに記載の撮像ユニット。
【請求項７】
前記撮像素子のうち前記保持部材との対向面は、前記対向面の長辺とは長さの異なる短辺を有する長方形である請求項１乃至６のいずれかに記載の撮像ユニット。
【請求項８】
一体型走査光学ユニットを備えた画像読取装置であって、
前記一体型走査光学ユニットは、
原稿に光を照射する光源と、
前記光源から前記原稿に照射されて反射された光を反射する複数の反射ミラーと、
前記複数の反射ミラーのうち最後に前記光を反射する最終反射ミラーに反射された光を収束する結像レンズと、
撮像ユニットと、
をハウジングに一体的に搭載してなり、
前記一体型走査光学ユニットは、走査方向に移動させて原稿の画像を読み取り可能であって、
前記撮像ユニットは、請求項１乃至７のいずれかに記載の撮像ユニットであることを特徴とする画像読取装置。
【請求項９】
一体型走査光学ユニットを備えた画像読取装置を有し、前記画像読取装置から出力される画像信号によって画像を形成する画像形成装置であって、
前記画像読取装置は、請求項８記載の画像読取装置である画像形成装置。
【請求項１０】
請求項９記載の画像形成装置において、電子写真プロセスを実行するためのプロセスユニットを有する画像形成装置。
【発明の詳細な説明】
【技術分野】
【０００１】
本発明は、撮像ユニット、画像読取装置および画像形成装置に関するものである。
【背景技術】
【０００２】
デジタルカメラやスキャナ等に使用される撮像ユニットを、ＣＣＤやＣＭＯＳに代表される撮像素子、回路基板、および様々なＩＣによって構成する技術が知られている。
【０００３】
撮像ユニットは、通電状態において発熱する。ここで、多くの場合、撮像素子と回路基板は熱膨張係数が異なる。したがって、互いに隣接して配置されている撮像素子と回路基板は、撮像ユニットの発熱による膨張量が異なる。例えば、撮像素子の膨張量が回路基板の膨張量よりも小さい場合がある。
【０００４】
撮像素子は、撮像素子と回路基板が異なる膨張量で膨張することで回路基板から撮像素子に応力がかかり湾曲することがある。湾曲した撮像素子は、撮像面が湾曲しているため光学性能が劣化する。
【０００５】
これまでにも、回路基板のうち撮像素子の実装予定部位の裏側に相当する部位に低熱膨張部材が固定された撮像ユニットが提案されている（例えば、特許文献１参照）。
【０００６】
しかしながら、特許文献１で提案されている撮像ユニットは、撮像素子にかかる応力が回路基板を介して間接的に緩和されるため、撮像素子にかかる応力を効率的に緩和することはできなかった。
【０００７】
そこで、撮像素子にかかる回路基板からの応力を効率よく緩和する撮像ユニットが必要とされている。
【発明の概要】
【発明が解決しようとする課題】
【０００８】
本発明は、撮像素子にかかる回路基板からの応力を効率よく緩和する撮像ユニットを提供することを目的とする。
【課題を解決するための手段】
【０００９】
本発明にかかる撮像ユニットは、撮像素子と、撮像素子が接着されていて撮像素子を保持する保持部材と、撮像素子に接着されていて撮像素子の変形を抑制する変形抑制部材と、を備える撮像ユニットであって、撮像素子と保持部材とは、接着部材により固定され、撮像素子の線膨張係数をα１、保持部材の線膨張係数をα２、変形抑制部材の線膨張係数をα３としたとき、α２＜α１＜α３又はα２＞α１＞α３を満足し、撮像素子に塗布される接着部材の長方形の塗布領域の長辺方向の長さＬＺと、変形抑制部材の長辺方向の長さＬＸとは、１／２＊ＬＺ＜ＬＸ＜３／２＊ＬＺの関係を満足することを特徴とする。
【発明の効果】
【００１０】
本発明によれば、撮像素子にかかる回路基板からの応力を効率よく緩和することができる。
【図面の簡単な説明】
【００１１】
【図１】本発明にかかる撮像ユニットの実施の形態を示す斜視図である。
【図２】上記撮像ユニットの縦断面図である。
【図３】図２に示す撮像ユニットの一部分を拡大して示す縦断面図である。
【図４】上記撮像ユニットの底面図である。
【図５】上記撮像ユニットが備える変形抑制部材の板体積比と、上記撮像ユニットが備える撮像素子のたわみ量の関係を示すグラフである。
【図６】上記板体積比と、上記撮像素子のたわみ量を上記板体積比で割った値の関係を示すグラフである。
【図７】本発明にかかる撮像ユニットの別の実施の形態を示す側面図である。
【図８】図７に示す撮像ユニットの一部分を拡大して示す側面図である。
【図９】本発明にかかる撮像ユニットのさらに別の実施の形態を示す側面図である。
【図１０】図９に示す撮像ユニットの一部分を拡大して示す側面図である。
【図１１】本発明にかかる画像形成装置の実施の形態を示す端面図である。
【図１２】上記画像形成装置が備える画像読取部を示す斜視図である。
【図１３】上記画像読取部の分解斜視図である。
【発明を実施するための形態】
【００１２】
以下、本発明にかかる撮像ユニットについて、図面を参照しながら説明する。
【００１３】
●撮像ユニット（１）●
まず、本発明にかかる撮像ユニットの一実施の形態について説明する。
【００１４】
図１に示すように、撮像ユニット１０は、撮像素子１１、保持部材１２、透光性部材１３、および図２に示す変形抑制部材１６を備える。
【００１５】
撮像素子１１は、文書や図面等の情報が記載された原稿の画像を読取可能な素子である。撮像素子１１は、例えば、ＣＣＤやＣＭＯＳ等の素子である。撮像素子１１は、固体撮像素子である。撮像素子１１の形状は、略直方体である。撮像素子１１のうち画像の読取を行う面とは反対側の面には、保持部材１２および図２に示す変形抑制部材１６が接着されている。
【００１６】
図１に示すように、保持部材１２は、撮像素子１１を保持する部材である。保持部材１２は、撮像素子１１よりも面積が大きい平面を持つ直方体の部材である。保持部材１２の前記平面と撮像素子１１は、図示しない接着部材により他の部材を介さずに直接接着されている。接着部材は、例えばはんだや接着剤である。
【００１７】
保持部材１２は、図２に示す開口部１５を上面に備えている。開口部１５は、例えば直方体形状の凹型の窪みである。また、開口部１５は、保持部材１２を貫通していてもよい。開口部１５には、変形抑制部材１６が収容されている。
【００１８】
図１に示すように、透光性部材１３は、撮像素子１１のうち画像の読取を行う面の表面を保護する部材である。透光性部材１３は、例えば直方体のガラス板である。
【００１９】
図２は、撮像ユニット１０の縦断面図である。透光性部材１３は、ここでは省略した。変形抑制部材１６は、撮像素子１１の変形を抑制する直方体の部材である。変形抑制部材１６の線膨張係数は、保持部材１２の線膨張係数とは異なる。変形抑制部材１６は、例えば窒化珪素などのセラミックで構成されている。
【００２０】
変形抑制部材１６と撮像素子１１とは、図示しない接着部材により接着されている。接着部材は、例えばはんだや接着剤である。変形抑制部材１６は、保持部材１２の上面に設けられた開口部１５に収容されている。
【００２１】
●撮像素子１１、保持部材１２および変形抑制部材１６の膨張量について
図３は、図２に示す領域６０の部分拡大図である。ここで、撮像素子１１の線膨張係数をα１、保持部材１２の線膨張係数をα２、変形抑制部材１６の線膨張係数をα３とする。
【００２２】
また、以下、撮像素子１１の熱による膨張量を膨張量１１１、保持部材１２の熱による膨張量を膨張量１１２、変形抑制部材１６の熱による膨張量を膨張量１１６とする。
【００２３】
まず、α１、α２およびα３の関係が式１を満足する場合について検討する。
【００２４】
（式１）
α２＜α３＜α１
【００２５】
膨張量１１１、膨張量１１２および膨張量１１６は、線膨張係数に比例する。すなわち、膨張量１１１、１１２および１１６は、撮像素子１１、保持部材１２および変形抑制部材１６の温度が一定であると仮定すると以下の関係が成り立つ。
【００２６】
（式２）
膨張量１１６＜膨張量１１１＜膨張量１１２
【００２７】
ここで、各部材の膨張によって撮像素子１１に発生する応力について説明する。
【００２８】
撮像素子１１と保持部材１２との間では、膨張量１１２が膨張量１１１より大きいため図中上向き、すなわち保持部材１２側から撮像素子１１側へ向かう応力２１２が生じる。したがって、撮像素子１１の端部は、応力２１２により保持部材１２を外側にして湾曲する。すなわち、撮像素子１１は、変形抑制部材１６がない場合にはたわみを生じてしまう。
【００２９】
一方、撮像素子１１と変形抑制部材１６との間では、膨張量１１１が膨張量１１６より大きいため図中下向き、すなわち撮像素子１１側から保持部材１２側へ向かう方向に応力２１１が生じる。
【００３０】
応力２１１と応力２１２とは、力の向きが逆であるためキャンセルされる。すなわち、変形抑制部材１６は、撮像素子１１と保持部材１２との間に生じる応力に起因する撮像素子１１の変形を抑制することができる。
【００３１】
次に、α１、α２およびα３の関係が式３を満足する場合について検討する。
【００３２】
（式３）
α２＞α３＞α１
【００３３】
このとき、撮像素子１１と保持部材１２との間の応力は、撮像素子１１側から保持部材１２側に向かって生じる。撮像素子１１と変形抑制部材１６との間の応力は、保持部材１２側から撮像素子１１側に向かう方向に生じる。したがって、変形抑制部材１６は、α１、α２およびα３の関係が式３を満たす場合においても撮像素子１１と保持部材１２との間に生じる応力に起因する撮像素子の変形を抑制することができる。
【００３４】
●変形抑制部材１６の体積と撮像素子１１のたわみ量の関係
図４は、撮像素子１１を変形抑制部材１６側から見た底面図である。説明のために、保持部材１２の記載は省略した。接着部材１７は、撮像素子１１の長辺Ａに沿って複数配置されている。また、接着部材１７は、撮像素子１１の短辺Ｂの中央部近傍に１箇所配置されている。接着部材１７は、撮像素子１１と保持部材１２とを接着する。
【００３５】
図４において、撮像素子１１の長辺の長さをＬＡ、短辺の長さをＬＢ、保持部材１２との接着のために接着部材１７が塗布された長辺Ａ上の塗布領域の長辺方向の長さをＬＺとする。
【００３６】
なお、接着部材１７は、１箇所に連続して配置してもよいし、間隔を設けて複数配置してもよい。接着部材１７がはんだであるとき、空隙を設けて複数配置することにより、接着部材１７を導線として用いることができる。
【００３７】
図５は、変形抑制部材１６の保持部材１２に対する体積比と、撮像素子１１のたわみ量の関係を示すグラフである。２本のグラフは、それぞれ変形抑制部材１６の形状のうち撮像素子１１の接着面の長辺の長さを変化させたときのたわみ量、および短辺の長さを変化させたときのたわみ量を示す。いずれのグラフも、変形抑制部材１６の保持部材１２に対する体積比が大きいほど、たわみ量が低減されていることがわかる。
【００３８】
なお、縦軸に平行な破線は、ＬＸを変化させたときにおいて、ＬＸがＬＺ、１／２＊ＬＺおよび３／２＊ＬＺに対応する位置を示す。
【００３９】
図６は、変形抑制部材１６の保持部材１２に対する体積比と、変形抑制部材１６の単位体積当たりのたわみ量の関係を示すグラフである。すなわち、横軸の値は、図５に示したたわみ量を対応する変形抑制部材１６の体積で割った値である。
【００４０】
変形抑制部材１６の単位体積当たりのたわみ量が最小となるのは、変形抑制部材１６の長辺の長さＬＸがＬＺの近傍のときであることがわかる。特に、ＬＸがＬＺの１／２の長さおよび３／２の長さの間にあると好ましい。
【００４１】
以上説明した実施の形態によれば、撮像素子、保持部材および変形抑制部材を固定することにより撮像素子にかかる回路基板からの応力を効率よく緩和することができる。
【００４２】
●撮像ユニット（２）●
次に、本発明にかかる撮像ユニットの別の実施の形態について、先に説明した実施の形態と異なる部分を中心に説明する。ここで、本実施の形態は、保持部材が開口部を備えず、撮像素子の側面に接着されている点において、これまでに説明した実施の形態と異なる。
【００４３】
図７に示すように、撮像ユニット２０は、撮像素子２１、保持部材２２および変形抑制部材２６を備える。撮像素子２１の側面には、保持部材２２が接着されている。
【００４４】
変形抑制部材２６は、撮像素子２１の側面のうち撮像素子の受光面に平行な中心面２７よりも保持部材２２側に接着されている。すなわち、保持部材２２と変形抑制部材２６とは、撮像素子２１の表面を中心面２７で区切って規定される２つの領域のうち同じ領域、すなわち受光面を含む領域とは異なる領域に配置されている。
【００４５】
図８は、図７に示す領域６１の部分拡大図である。撮像素子２１の線膨張係数をα１、保持部材２２の線膨張係数をα２、変形抑制部材２６の線膨張係数をα３とする。
【００４６】
また、以下、撮像素子２１の熱による膨張量を膨張量１２１、保持部材２２の熱による膨張量を膨張量１２２、変形抑制部材２６の熱による膨張量を膨張量１２６とする。
【００４７】
ここで、α１、α２およびα３の関係が式２を満たす場合について検討する。
【００４８】
撮像素子２１と保持部材２２との間では、膨張量１２２が膨張量１２１より大きいため図中上向き、すなわち保持部材２２側から撮像素子２１側へ向かう応力２２２が生じる。したがって、撮像素子２１の端部は応力２２２により保持部材２２を外側にして湾曲する。すなわち、撮像素子２１は、変形抑制部材２６がない場合にはたわみを生じてしまう。
【００４９】
一方、撮像素子２１と変形抑制部材２６との間では、膨張量１２１が膨張量１２６より大きいため撮像素子２１側から保持部材２２側へ向かう方向に応力２２１が生じる。
【００５０】
応力２２１と応力２２２とは、力の向きが逆であるためキャンセルされる。すなわち、変形抑制部材２６は、撮像素子２１と保持部材２２との間に生じる応力に起因する撮像素子２１の変形を抑制することができる。応力２２１は、変形抑制部材２６の接着位置が保持部材２２に近づくほど大きくなる。
【００５１】
以上説明した実施の形態によれば、変形抑制部材を撮像素子に接着することにより撮像素子にかかる回路基板からの応力を効率よく緩和することができる。
【００５２】
●撮像ユニット（３）●
次に、本発明にかかる撮像ユニットの別の実施の形態について、先に説明した実施の形態と異なる部分を中心に説明する。ここで、本実施の形態は、透光性部材が保持部材を挟んで撮像素子と距離を置いて配置されている点において、これまでに説明した実施の形態と異なる。
【００５３】
図９に示すように、撮像ユニット５０は、撮像素子５１、保持部材５２、透光性部材５３および変形抑制部材５６を備える。撮像素子５１、保持部材５２および透光性部材５３は、この順に重ねて接着されている。
【００５４】
変形抑制部材５６は、撮像素子５１の側面のうち撮像素子の受光面に平行な中心面５７よりも保持部材５２側（図９中の上側）に接着されている。すなわち、保持部材５２と変形抑制部材５６とは、撮像素子５１の表面を中心面２７で区切って規定される２つの領域のうち同じ領域、すなわち受光面を含む領域とは異なる領域に配置されている。
【００５５】
透光性部材５３と撮像素子５１との間には、空隙が設けられている。
【００５６】
図１０は、図９に示す領域６２の部分拡大図である。撮像素子５１の線膨張係数をα１、保持部材５２の線膨張係数をα２、変形抑制部材５６の線膨張係数をα３とする。
【００５７】
また、以下、撮像素子５１の熱による膨張量を膨張量１５１、保持部材５２の熱による膨張量を膨張量１５２、変形抑制部材５６の熱による膨張量を膨張量１５６とする。
【００５８】
ここで、α１、α２およびα３の関係が式１を満たす場合について検討する。
【００５９】
撮像素子５１と保持部材５２との間では、膨張量１５２が膨張量１５１より大きいため図中下向き、すなわち保持部材５２側から撮像素子５１側へ向かう応力２５２が生じる。したがって、撮像素子５１の端部は、応力２５２により保持部材５２を外側にして湾曲する。すなわち、撮像素子５１は、変形抑制部材５６がない場合にはたわみを生じてしまう。
【００６０】
一方、撮像素子５１と変形抑制部材５６との間では、膨張量１５１が膨張量１５６より大きいため撮像素子５１側から保持部材５２側へ向かう方向に応力２５１が生じる。
【００６１】
応力２５１と応力２５２とは、力の向きが逆であるためキャンセルされる。すなわち、変形抑制部材５６は、撮像素子５１と保持部材５２との間に生じる応力に起因する撮像素子５１の変形を抑制することができる。
【００６２】
以上説明した実施の形態によれば、変形抑制部材を撮像素子に接着することにより撮像素子にかかる回路基板からの応力を効率よく緩和することができる。
【００６３】
●画像形成装置（１）
本発明にかかる撮像ユニットを備える画像形成装置について説明する。
【００６４】
図１１に示すように、画像形成装置１００は、用紙供給装置４０、画像形成部１０１および原稿搬送読取ユニット１０４を備える。また、原稿搬送読取ユニット１０４は、画像形成部１０１の上に固定された画像読取部１０２と、画像読取部１０２に支持される原稿搬送装置としてのＡＤＦ１０３を備える。
【００６５】
画像読取部１０２は、画像読取装置として動作する。
【００６６】
用紙供給装置４０は、ペーパーバンク４１、２つの給紙カセット４２、送出ローラ４３、分離ローラ４５、および複数の搬送ローラ４６等を備える。
【００６７】
ペーパーバンク４１は、給紙カセット４２を収容する空間である。給紙カセット４２は、記録に用いる用紙を貯蔵するカセットである。給紙カセット４２は、ペーパーバンク４１内に２個収容されている。給紙カセット４２は、ペーパーバンク４１内に多段に配設されている。
【００６８】
送出ローラ４３は、給紙カセット４２から用紙を送り出すローラである。分離ローラ４５は、送出ローラ４３から送り出された用紙を分離して第１給紙路４４に供給するローラである。搬送ローラ４６は、給紙カセット４２内の用紙を第２給紙路３７に搬送するローラである。
【００６９】
画像形成部１０１は、光書込装置２、４個のプロセスユニット３Ｋ、３Ｙ、３Ｍ、３Ｃ、中間転写ベルト２５を備える転写ユニット２４、紙搬送ユニット２８、レジストローラ対３３、定着装置３４、排紙ローラ対３５、スイッチバック装置３６および第２給紙路３７等を備えている。
【００７０】
４個のプロセスユニット３Ｋ、３Ｙ、３Ｍ、３Ｃは、それぞれブラック、イエロー、マゼンタ、シアン用のユニットである。４個のプロセスユニット３Ｋ、３Ｙ、３Ｍ、３Ｃは、それぞれ対応するドラム状の感光体４Ｋ、４Ｙ、４Ｍ、４Ｃを備える。
【００７１】
画像形成部１０１は、光書込装置２内に配設された図示しないレーザーダイオードやＬＥＤ等の光源を駆動して、光源から感光体４Ｋ、４Ｙ、４Ｍ、４Ｃに向けてレーザー光を照射する。
【００７２】
各感光体４Ｋ、４Ｙ、４Ｍ、４Ｃの表面には、レーザー光の照射により静電潜像が形成される。静電潜像は、所定の現像プロセスを経由してトナー像に現像される。
【００７３】
各感光体４Ｋ、４Ｙ、４Ｍ、４Ｃの表面に形成されたトナー像は、図１中時計回り方向に無端移動する中間転写ベルト２５に順次重ね合わせて１次転写される。１次転写により、中間転写ベルト２５に４色のトナー像を重ね合わせたカラートナー像が形成される。
【００７４】
紙搬送ユニット２８と中間転写ベルト２５との間には、２次転写ニップが形成されている。用紙供給装置４０から供給された用紙は、レジストローラ対３３により所定のタイミングで２次転写ニップに送り出される。２次転写ニップに送り出された用紙は、中間転写ベルト２５上のカラートナー像が一括２次転写される。
【００７５】
２次転写ニップを通過した用紙は、中間転写ベルト２５から離間して定着装置３４へ搬送される。定着装置３４に搬送された用紙は、定着装置３４内における加圧や加熱によってフルカラー画像が定着される。フルカラー画像が定着された用紙は、定着装置３４から排紙ローラ対３５に送られた後、画像形成装置１００外へ排出される。
【００７６】
なお、画像形成部１０１は、図１１に示すような電子写真プロセスを実行するためのプロセスユニットを備えた構成に限定されるものではなく、インクジェット記録方式等の構成であってもよい。
【００７７】
図１２および図１３に示すように、画像読取部１０２は、一体型走査光学ユニット３０１、スキャナカバー部２０１およびスキャナフレーム部２０２、ガイドロッド３０２およびレール３０３を備えている。
【００７８】
一体型走査光学ユニット３０１は、原稿４０６に光を照射して反射光を読み取るユニットである。一体型走査光学ユニット３０１は、図示しない照明装置、撮像ユニット、複数の反射ミラーおよび結像レンズが保持されている。照明装置は、原稿に光を照射する。反射ミラーは、光源から原稿に照射されて反射された光を反射する。結像レンズは、複数の反射ミラーのうち最後に光を反射する最終反射ミラーに反射された光を収束する。
【００７９】
照明装置、撮像ユニット、複数の反射ミラーおよび結像レンズは、一体型走査光学ユニット３０１のハウジングに一体的に搭載されている。
【００８０】
一体型走査光学ユニット３０１は、後述するコンタクトガラス２０３の直下に配置されている。また、一体型走査光学ユニット３０１は、ガイドロッド３０２およびレール３０３により副走査方向（図１２の左右方向）に移動可能に配置されている。
【００８１】
スキャナカバー部２０１は、画像読取部１０２の上面を構成する部分である。スキャナカバー部２０１は、読取時に原稿４０６を配置するコンタクトガラス２０３を備えている。コンタクトガラス２０３は、スキャナカバー部２０１に固定されている。
【００８２】
スキャナフレーム部２０２は、画像読取部１０２の側面および下面を構成する筐体である。
【００８３】
一体型走査光学ユニット３０１が原稿４０６を読み取る方法は、ＡＤＦ１０３によって搬送される原稿４０６を読み取る方法と、コンタクトガラス２０３上に配置された原稿４０６を読み取る方法と、がある。
【００８４】
一体型走査光学ユニット３０１は、ＡＤＦ１０３によって搬送される原稿４０６を読み取る場合には、図１１中の位置Ａに移動して停止した状態で読み取りを行う。
【００８５】
すなわち、一体型走査光学ユニット３０１は、ＡＤＦ１０３によって搬送される原稿４０６がコンタクトガラス２０３上を通過する際に、光源からの光束を原稿４０６に照射する。そして、一体型走査光学ユニット３０１が備える撮像素子としてのＣＣＤは、複数のミラーを経由した原稿４０６からの反射光束を受光する。
【００８６】
一方、一体型走査光学ユニット３０１は、コンタクトガラス２０３上に配置された原稿４０６を読み取る場合には、図１１中の位置Ａから右側に移動しながら、光源からの光束を原稿４０６に照射する。そして、一体型走査光学ユニット３０１が備える撮像素子としてのＣＣＤは、複数のミラー又は結像レンズ等を経由した原稿４０６からの反射光束を受光する。
【００８７】
以上説明した実施の形態によれば、画像形成装置１００に撮像素子１１、保持部材１２および変形抑制部材１６を用いることにより、撮像素子にかかる回路基板からの応力を効率よく緩和することができる。すなわち、撮像素子のたわみによる画質の低下を緩和する画像形成装置を得ることができる。
【符号の説明】
【００８８】
１０    撮像ユニット
１１    撮像素子
１２    保持部材
１６    変形抑制部材
１００    画像形成装置
【先行技術文献】
【特許文献】
【００８９】
【特許文献１】特開２００４−２７９３４２号公報
【図１】
0006372748.tif 000002
【図２】
0006372748.tif 000003
【図３】
0006372748.tif 000004
【図４】
0006372748.tif 000005
【図５】
0006372748.tif 000006
【図６】
0006372748.tif 000007
【図７】
0006372748.tif 000008
【図８】
0006372748.tif 000009
【図９】
0006372748.tif 000010
【図１０】
0006372748.tif 000011
【図１１】
0006372748.tif 000012
【図１２】
0006372748.tif 000013
【図１３】
0006372748.tif 000014